(57)【特許請求の範囲】
【請求項１】
本体と、本体内に設けた熱交換器と、前記熱交換器で熱交換した空気を送風するファンと、前記ファンからの空気を案内する送風路と、前記送風路からの空気を吹き出す吹出口と、前記吹出口に設けた上下風向変更羽根と、前記上下風向変更羽根を軸支したリンク機構と、前記リンク機構を介して前記上下風向変更羽根を上下方向に駆動する駆動手段と、前記駆動手段を制御する制御部とを備え、前記リンク機構は、吹出口の吹出口域内を軸支点として上下風向変更羽根を上下回動自在なる如く軸支するとともに、上記上下風向変更羽根の軸支点を変位させて前記上下風向変更羽根を前記送風路のリアガイダ延長線上に設定可能とし、
前記リンク機構は、前記駆動手段の回転軸を回転中心として回転駆動される駆動アームと、前記駆動アームによって駆動される上下風向変更羽根アームと、前記上下風向変更羽根アームを支持するリンクアームとを備え、前記リンクアームは略く字状に形成してその一端側部分を空気調和機の本体に軸支するとともに、他端側部分を前記上下風向変更羽根アームの長手方向の途中部分に軸支して当該軸支点を中心に上下風向変更羽根アームを回動自在に軸支する構成とし、且つ、前記上下風向変更羽根アームはその先端部分を前記駆動アームに軸支して当該上下風向変更羽根アームの先端部分を前記駆動アームで回動する構成とした空気調和機。
【請求項２】
制御部は、上下風向変更羽根を送風路のリアガイダ延長線上に位置させたときに吹出空気の温度を露点温度以上とする構成とした請求項１記載の空気調和機。
【請求項３】
リンク機構は、駆動アームの回転中心をＸ、前記駆動アームと上下風向変更羽根アームとの軸支点をＹ、前記上下風向変更羽根アームの長手方向途中とリンクアームとの軸支点をＺ として、前記ＸとＹとの間の距離をＡ、前記ＹとＺとの間の距離をＢとすると、Ｂ＝Ａ×（１．２〜１．５）となる構成とした請求項２記載の空気調和機。
【請求項４】
駆動手段は、その回転軸に駆動アームを介して前記上下風向変更羽根の羽根アームを軸支して前記上下風向変更羽根を装着可能とした構成とした請求項１〜３のいずれか１項記載の空気調和機。
【発明の詳細な説明】
【技術分野】
【０００１】
本発明は上下風向変更羽根を備えた空気調和機に関するものである。
【背景技術】
【０００２】
一般に空気調和機は、上下風向変更羽根を上下動させて空気の向きを変更し、室内を冷房もしくは暖房するが、その上下風向変更羽根には冷房時に結露が生じやすい。よって、結露が生じないよう結露防止対策が施してある（例えば、特許文献１参照）。
【０００３】
図２０（ａ）は上記特許文献１記載の空気調和機を示し、この空気調和機は本体１００の吹出口１０１に設けた上下風向変更羽根１０２を吹出口域内に軸支して、熱交換器１０３で熱交換した冷風が上下風向変更羽根１０２の上下両面を流れるようにし結露を防止している。
【０００４】
また図２０（ｂ）は同特許文献１の段落０００５に記載されている上下風向変更羽根の結露防止構成を示し、この構成は上下風向変更羽根１１２を中空筒状に形成して、上下風向変更羽根１１２の上下面間に生じる温度差を少なくし結露を防止している。
【先行技術文献】
【特許文献】
【０００５】
【特許文献１】特開２０１４−１２２７５０号公報
【発明の概要】
【発明が解決しようとする課題】
【０００６】
しかしながら、上記特許文献１（ａ）の構成によると、上下風向変更羽根１０２が吹出口１０１の吹出口域内に軸支されているため、送風の抵抗体となるとともに、上下風向変更羽根１０２がリアガイダ１０５の延長上に位置しない形となって上下風向変更羽根１０２による整流効果も悪くなる。よって、吹出口１０１から吹き出す空気の送風性能が悪化して大風量が出せず、大風量による迅速かつ効果的な冷房又は暖房が困難である、という課題があった。
【０００７】
また、上記特許文献１（ｂ）の中空羽根方式の構成では、上下風向変更羽根１１２は上下面二つの部品を接合して中空状にするので、結露を防止することはできるものの、特許文献１（ａ）に示すような一枚物の上下風向変更羽根に比べ材料費、接合工数が余分に必要となり、しかも、上下風向変更羽根１１２の重量が増すため、これを駆動するモータ等の駆動源の能力アップあるいはギアボックスの付設によるトルクアップが必要となる等、大幅なコストアップを招く、という課題があった。
【０００８】
上記課題のうち、前記した送風性能悪化の課題は、図２１に示す特開２０１４−１９６８８２号公報記載のように、上下風向変更羽根１２２をリアガイダ１０５の先端部１０５ａに軸支して、上下風向変更羽根１２２がリアガイダ１０５の延長線上に位置するようにすれば解決することができる。これは、上下風向変更羽根１２２がリアガイダ１０５の延長線上に位置することによって上下風向変更羽根１２２の整流効果とディフーザ機能が最大限発揮されることによるもので、送風性能が大きく改善され向上する。
【０００９】
しかしながらこの場合、上下風向変更羽根１２２の下面に沿って冷風を流すことが困難なため、結露防止のためには上下風向変更羽根１２２を中空筒状に形成しなければならず、特許文献１（ｂ）記載のようなコストアップ問題が残ることになる。
【００１０】
本発明はこのような点に鑑みてなしたもので、上下風向変更羽根の結露を防止するとともに風量低下を抑制して大風量化も可能な高品質、高性能な空気調和機を提供することを第１の目的とし、更には前記風量低下を抑制した時にも結露防止して、安価で高品質、高性能な空気調和機とすることを第２の目的としたものである。
【課題を解決するための手段】
【００１１】
本発明は上記第１の目的を達成するため、本体と、本体内に設けた熱交換器と、前記熱交換器で熱交換した空気を送風するファンと、前記ファンからの空気を案内する送風路と、前記送風路からの空気を吹き出す吹出口と、前記吹出口に設けた上下風向変更羽根と、前記上下風向変更羽根を軸支したリンク機構と、前記リンク機構を介して前記上下風向変更羽根を上下方向に駆動する駆動手段と、前記駆動手段を制御する制御部とを備え、前記リンク機構は、吹出口の吹出口域内を軸支点として上下風向変更羽根を上下回動自在なる如く軸支するとともに、上記上下風向変更羽根の軸支点を変位させて前記上下風向変更羽根を前記送風路のリアガイダ延長線上に設定可能とした構成としてある。
【００１２】
これにより、上下風向変更羽根は通常その軸支点を吹出口域内に位置させて回動させ、上下風向変更羽根の上下面に熱交換後の空気が流れるようにして結露を防止することができる。しかも、上記上下風向変更羽根の軸支点を変位させれば上下風向変更羽根を送風路のリアガイダ延長線上に位置させて高い整流効果を発揮させ、その送風性能を向上させて大風量化することができ、大風量による冷房等の空調を実現することができる。
【発明の効果】
【００１３】
本発明は上記構成により、上下風向変更羽根の結露を防止すると同時に風量低下も抑制して送風性能を向上させ大風量による空調を実現することができ、高品質、高性能な空気調和機とすることができる。
【図面の簡単な説明】
【００１４】
【図１】本発明の実施の形態１に係る空気調和機の室内機を示す斜視図
【図２】同室内機の断面図
【図３】同室内機の冷房運転時の断面図
【図４】同室内機の大風量運転時の断面図
【図５】同室内機の吹出口に設けた主上下風向変更羽根の軸支構成部分を示す斜視図
【図６】同主上下風向変更羽根の軸支構成部分の分解斜視図
【図７】同室内機の主上下風向変更羽根を軸支するリンク機構の斜視図
【図８】同リンク機構の分解斜視図
【図９】同リンク機構の動作を説明するための図
【図１０】同空気調和機の主上下風向変更羽根の制御ブロック図
【図１１】同空気調和機の大風量運転時における主上下風向変更羽根の制御を示す制御フロー図
【図１２】同空気調和機の自動運転モードにおける主上下風向変更羽根の制御を示す制御フロー図
【図１３】同空気調和機の室内機の吹出口閉時の断面図
【図１４】同空気調和機の室内機の冷房運転時における斜め下気流モードを示す断面図
【図１５】同空気調和機の室内機の冷房運転時における天井気流モードを示す断面図
【図１６】（ａ）（ｂ）（ｃ）同空気調和機の室内機の大風量運転移行時における主上下風向変更羽根の回動推移を示す断面図
【図１７】同空気調和機の室内機の暖房運転時における下気流モードを示す断面図
【図１８】本発明の実施の形態２に係る空気調和機の室内機の吹出口に設けた上下風向変更羽根の軸支構成部分を示す斜視図
【図１９】同上下風向変更羽根の軸支構成部分の分解斜視図
【図２０】（ａ）従来の空気調和機における吹出口構成を示す断面図、（ｂ）同他の吹出口構成を示す断面図
【図２１】従来のさらに他の空気調和機における吹出口構成の断面図
【発明を実施するための形態】
【００１５】
第１の発明は、本体と、本体内に設けた熱交換器と、前記熱交換器で熱交換した空気を送風するファンと、前記ファンからの空気を案内する送風路と、前記送風路からの空気を吹き出す吹出口と、前記吹出口に設けた上下風向変更羽根と、前記上下風向変更羽根を軸支したリンク機構と、前記リンク機構を介して前記上下風向変更羽根を上下方向に駆動する駆動手段と、前記駆動手段を制御する制御部とを備え、前記リンク機構は、吹出口の吹出口域内を軸支点として上下風向変更羽根を上下回動自在なる如く軸支するとともに、上記上下風向変更羽根の軸支点を変位させて前記上下風向変更羽根を前記送風路のリアガイダ延長線上に設定可能とした構成としてある。
【００１６】
これにより、上下風向変更羽根は通常その軸支点を吹出口域内に位置させて回動させ、上下風向変更羽根の上下面に熱交換後の空気が流れるようにして結露を防止することができる。しかも、上記上下風向変更羽根の軸支点を変位させれば上下風向変更羽根を送風路のリアガイダ延長線上に位置させて高い整流効果を発揮させ、その送風性能を向上させて大風量化することができ、大風量による冷房等の空調を実現することができる。
【００１７】
第２の発明は、第１の発明において、前記制御部は、上下風向変更羽根を送風路のリアガイダ延長線上に位置させたときに吹出空気の温度を露点温度以上とする構成としてある。
【００１８】
これにより、上下風向変更羽根を送風路のリアガイダ延長線上に位置させて大風量化した時、吹出空気の温度を露点温度以上として結露を防止でき、一枚物の軽量且つ簡易で安価な上下風向変更羽根として結露を防止しつつ大風量による冷房等の空調を実現することができる。
【００１９】
第３の発明は、第１又は第２の発明において、前記リンク機構は、駆動手段の回転軸を回転中心として回転駆動される駆動アームと、前記駆動アームによって駆動される上下風向変更羽根アームと、前記上下風向変更羽根アームを支持するリンクアームとを備え、前記リンクアームは略く字状に形成してその一端側部分を空気調和機の本体に軸支するとともに、他端側部分を前記上下風向変更羽根アームの長手方向の途中部分に軸支して当該軸支点を中心に上下風向変更羽根アームを回動自在に軸支する構成とし、且つ、前記上下風向変更羽根アームはその先端部分を前記駆動アームに軸支して当該上下風向変更羽根アームの先端部分を前記駆動アームで回動する構成としてある。
【００２０】
これにより、リンクアームで軸支した上下風向変更羽根アームの軸支点を駆動アームの回転に伴い吹出口の吹出口域内に位置させて下風向変更羽根を回動させることができるとともに、前記上下風向変更羽根アームの軸支点を変位させて前記上下風向変更羽根をリアガイダ延長線上に位置させることができ、簡易なリンク機構によって確実に結露防止と送風性能向上による大風量化を実現することができる。
【００２１】
第４の発明は第３の発明において、前記リンク機構は、駆動アームの回転中心をＸ、前記駆動アームと上下風向変更羽根アーム先端部との軸支点をＹ、前記上下風向変更羽根アームの長手方向途中とリンクアームとの軸支点をＺとして、前記ＸとＹとの間の距離をＡ、前記ＹとＺとの間の距離をＢとすると、Ｂ＝Ａ×（１．２〜１．５）となる構成としてある。
【００２２】
これにより、上記リンク機構は、上下風向変更羽根アームとリンクアームとの軸支点の移動が円滑なものとなるとともに、上下風向変更羽根の下向き回動範囲を大きくして空調範囲を広いものとすることができ、より高品質、高性能な空気調和機とすることができる。
【００２３】
第５の発明は第１〜第４の発明において、前記駆動手段は、その回転軸に駆動アームを介することなく駆動手段直結型上下風向変更羽根の羽根アームを軸支して前記駆動手段直結型上下風向変更羽根を装着可能とした構成としてある。
【００２４】
これにより、リアガイダの延長線上に上下風向変更羽根を位置させて大風量運転が可能な空気調和機と、大風量運転機能を持たない普及型の空気調和機を提供することができ、タイプの異なる二種類の空気調和機を合理的かつ安価に提供することができる。
【００２５】
以下、本発明の実施の形態について、図面を参照しながら説明する。なお、この実施の形態によって本発明が限定されるものではない。
【００２６】
（実施の形態１）
本発明の実施の形態１に係る空気調和機は、冷媒配管で互いに接続した室外機と室内機とで構成している。
【００２７】
図１は実施の形態１に係る空気調和機の室内機を示す斜視図、図２は同室内機の断面図、図３は同室内機の冷房運転時の断面図、図４は同室内機の大風量運転時の断面図である。
【００２８】
図１、図２に示すように、本実施の形態に係る室内機１は、本体２と、本体２の前面開口部２ａを塞ぐ前面パネル３とを備えている。
【００２９】
本体２の内部には、図２、図３、図４に示すように、上面開口部２ｂからフィルタ４を介して取り入れた室内空気を熱交換する熱交換器５と、熱交換器５で熱交換した空気を室内に吹き出すための風力源であるファン６とを備えている。
【００３０】
ファン６は、例えば、クロスフローファンであり、本体２内の送風路７を介して本体下方に設けられた吹出口８より室内に空気を吹き出す。
【００３１】
また、送風路７は、ファン６の下流側に配置されて空気の流れを案内するリアガイダ９と、このリアガイダ９に対向して配置されたスタビライザ１０と、本体２の両側壁（図示せず）とで形成されており、ファン６の下流側から吹出口８の上流側に至る通路を形成している。
【００３２】
また、吹出口８には、空気の吹き出し方向を上下に変更する上下風向変更羽根１１が設けてある。さらに、吹出口８の内部には空気の吹き出し方向を左右に変更することができる左右風向変更羽根１２（図５参照）も設けられている。
【００３３】
前記上下風向変更羽根１１は、この例では、吹出方向を上下に変更するとともに吹出口８の開閉も行う主上下風向変更羽根１１ａと、主上下風向変更羽根１１ａの上方にあって吹出口閉鎖時には前記主上下風向変更羽根１１ａによって覆われる補助上下風向変更羽根１１ｂとからなり、双方連動して上下方向に回動するように構成されている。
【００３４】
そして、上記主上下風向変更羽根１１ａ及び補助上下風向変更羽根１１ｂは、いずれもその上流側端部を吹出口８の吹出口域内に位置させて軸支しているが、本発明が対象とする上下風向変更羽根は主上下風向変更羽根１１ａであって、この主上下風向変更羽根１１ａは、これを軸支するリンク機構１４によってその軸支点が、吹出口８の吹出口域内と、送風路７を形成するリアガイダ９の先端部近傍位置と、に変位するように構成してある。
【００３５】
以下、上記リンク機構１４による主上下風向変更羽根１１ａの軸支構成を図５〜図９を用いて説明する。
【００３６】
図５は室内機の吹出口に設けた主上下風向変更羽根の軸支構成部分を示す斜視図、図６は同主上下風向変更羽根の軸支構成部分の分解斜視図、図７は同室内機の主上下風向変更羽根を軸支するリンク機構の斜視図、図８は同リンク機構の分解斜視図、図９は同リンク機構の動作を説明するための図である。
【００３７】
図５〜図９において、１５は主上下風向変更羽根１１ａを上下に回動させる駆動手段となる羽根駆動モータで、吹出口８の吹出口枠１６（図６、図８参照）に取り付けてあり、その回転軸１５ａは吹出口枠１６の軸孔１６ａを貫通して吹出口８内に突出している。
【００３８】
１７は前記羽根駆動モータ１５の回転軸１５ａによって駆動される駆動アームで、略Ｌ字状に形成してあり、その根元側端部を前記羽根駆動モータ１５の回転軸１５ａに嵌合させて連結してある。
【００３９】
１８は前記駆動アーム１７の他端側に連結した上下風向変更羽根アームで、駆動アーム１７によって回転駆動される。上記上下風向変更羽根アーム１８はその長手方向が鈍角に屈曲形成されており、その先端部に設けた第１ピン軸１８ａを前記駆動アーム１７の他端側のアームピン軸用孔１７ａに嵌合させて駆動アーム１７に連結し、更に長手方向途中となる屈曲部分に設けた第２ピン軸１８ｂをリンクアーム１９に嵌合してこれに軸支させている。なお、上下風向変更羽根アーム１８は主上下風向変更羽根１１ａに一体成型もしくは一体的に取り付け固定されている。
【００４０】
上記上下風向変更羽根アーム１８を軸支するリンクアーム１９は鋭角に屈曲する略く字状に形成されており、前記した如くその一端部側に設けたリンクピン軸用孔１９ａを前記上下風向変更羽根アーム１８の第２ピン軸１８ｂに嵌合させてこれを軸支するとともに、他端部側に設けたリンクピン軸１９ｂを吹出口枠１６に一体成型もしくは一体的に取り付け固定した軸受部２０の軸受孔２０ａに嵌合させて軸支してある。
【００４１】
これにより、このリンク機構１４は、リンクアーム１９のリンクピン軸用孔１９ａが軸支点、つまり回転中心となって、主上下風向変更羽根１１ａが上下に回動するとともに、上記主上下風向変更羽根１１ａの回転中心となる軸支点が変位することになる。
【００４２】
詳述すると、羽根駆動モータ１５の駆動により駆動アーム１７が回動し、駆動アーム１７先端のアームピン軸用孔１７ａに嵌合させ軸支した第１ピン軸１８ａを介して上下風向変更羽根アーム１８に回動力が加わる。上記上下風向変更羽根アーム１８に回動力が加わると、当該上下風向変更羽根アーム１８はその途中に設けた第２ピン軸１８ｂをリンクアーム１９のリンクピン軸用孔１９ａに軸支させているので、当該リンクアーム１９のリンクピン軸用孔１９ａ、つまり上下風向変更羽根アーム１８途中の第２ピン軸１８ｂを中心にして回動する。そして更に、上記上下風向変更羽根アーム１８途中の第２ピン軸１８ｂを軸支しているリンクアーム１９は、その他端側部分を吹出口枠１６の軸受部２０に軸支しているので、上下風向変更羽根アーム１８途中の第２ピン軸１８ｂ、つまり軸支点が、前記駆動アーム１７の回動による上下風向変更羽根アーム１８の回動に伴ってその位置を変位することになる。
【００４３】
そして、上記のように構成したリンク機構１４は、この例では、図９に示すように、更に前記駆動アーム１７の前記回転軸１５ａへの嵌合部、すなわち駆動アーム１７の回転中心をＸ、前記駆動アーム１７と上下風向変更羽根アーム１８との軸支点をＹ、前記上下風向変更羽根アーム１８の長手方向途中とリンクアーム１９との軸支点をＺとして、前記ＸとＹとの間の距離をＡ、前記ＹとＺとの間の距離をＢとすると、Ｂ＝Ａ×（１．２〜１．５）となる構成としてある。
【００４４】
次に上記のように構成したリンク機構１４により駆動される主上下風向変更羽根１１ａの駆動制御について図１０〜図１２を用いて説明する。
【００４５】
図１０は主上下風向変更羽根の制御ブロック図、図１１、図１２はその制御フロー図である。
【００４６】
図１０において、２１は羽根駆動モータ１５を介してリンク機構１４を動作させて主上下風向変更羽根１１ａを上下動させる制御部で、リンク機構１４を駆動する羽根駆動モータ１５及び吹出口８から空気を吹き出させるファン６のファンモータ２２を駆動制御する。この駆動制御は、吸込み風温度センサ２３、吹出し風温度センサ２４、湿度センサ２５からの出力に基づき制御部２１が行う。その制御フローは図１１、図１２に示す通りで、後に詳述する。
【００４７】
次に上記のように構成した空気調和機の作用効果について、図１３〜図１６を用い冷房運転時の動作を例にして説明する。尚、空気調和機における上下の風向制御は、この例の場合は主上下風向変更羽根１１ａと補助上下風向変更羽根１１ｂとによって行うが、本発明の対象となるのは主上下風向変更羽根１１ａによる風向制御であるので、この主上下風向変更羽根１１ａによる動作について図１３〜図１６を用い説明する。
【００４８】
図１３は運転開始前の吹出口閉時の断面図、図１４は冷房運転時における斜め下気流モードにおける断面図、図１５は同冷房運転時における天井気流モード時の断面図、図１６（ａ）（ｂ）（ｃ）は同空気調和機の室内機の大風量運転移行時における主上下風向変更羽根の回動推移を示す断面図である。
【００４９】
空気調和機は、図１３に示す吹出口閉時、主上下風向変更羽根１１ａで吹出口８を閉じており、リンクアーム１９のリンクピン軸用孔１９ａに軸支した上下風向変更羽根アーム１８の第２ピン軸１８ｂ、つまり軸支点Ｚは、吹出口８の吹出口枠域内に位置している。
【００５０】
空調運転が開始され、羽根駆動モータ１５が駆動されると、主上下風向変更羽根１１ａはリンク機構１４の軸支点Ｚを中心に回動し吹出口８を開放するとともに、ユーザによって設定された運転モードにより決定される角度に設定する。そして、ファン６が駆動され、上面開口部２ｂよりフィルタ４を介して室内空気が室内機１の内部に取り入れられる。
【００５１】
取り入れられた室内空気は、熱交換器５において熱交換されて冷風となり、ファン６に吸い込まれる。ファン６に吸い込まれた冷風は、ファン６の下流側に形成された送風路７のリアガイダ９およびスタビライザ１０に案内されて、吹出口８から吹き出される。
【００５２】
吹出口８から吹き出される冷風は、上下風向変更羽根１１の主上下風向変更羽根１１ａと補助上下風向変更羽根１１ｂ及び左右風向変更羽根１２によりその吹き出し方向が制御される。
【００５３】
図１４は冷風を斜め下向きに吹き出す主上下風向変更羽根の位置、図１５は部屋が十分に冷えユーザに直接気流を当てないよう冷風を正面に向けて吹き出す主上下風向変更羽根の位置を示し、送風路７からの冷風を所定方向に変更する。
【００５４】
この時、上記主上下風向変更羽根１１ａを軸支するリンク機構１４は、いずれの場合もその主上下風向変更羽根１１ａの軸支点Ｚを吹出口８の吹出口域内に位置させており、送風路７からの冷風は主上下風向変更羽根１１ａの上面とともに下面側にも流れる。これにより、主上下風向変更羽根１１ａに結露が発生するのを防止されている。
【００５５】
つまり、通常の冷房運転時は、主上下風向変更羽根１１ａの軸支点Ｚを吹出口８の吹出口域内に位置させて主上下風向変更羽根１１ａを回動させることにより主上下風向変更羽根１１ａの上下面に熱交換後の冷風が流れるようにして結露を防止している。
【００５６】
次に大風量にして運転する時の動作について説明する。
【００５７】
この大風量による運転は例えばユーザが制御部２１に設定してある大風量運転モードを選択することによってファン６からの風量が最大になるようにして行うが、前記したように主上下風向変更羽根１１ａの軸支点Ｚが吹出口域内に位置していると風路抵抗体となって大風量を確保することができない。
【００５８】
しかしながら、本実施の形態の空気調和機は、大風量運転モードを選択して運転を開始すると、羽根駆動モータ１５がリンク機構１４の駆動アーム１７を図１４、図１５で示す通常時の位置よりも更に回動させる。これにより、図１６に示す大風量運転移行時における主上下風向変更羽根１１ａの回動推移の（ｂ）に示すように、主上下風向変更羽根１１ａが大きく下向き回動しつつその軸支点Ｚが図１６（ｃ）に示すように送風路７を形成するリアガイダ９の先端部分に移動し変位する。そして、主上下風向変更羽根１１ａはリアガイダ９の延長線上に位置する形となる。
【００５９】
したがって、主上下風向変更羽根１１ａは送風路７のリアガイダ延長線上に位置して高い整流効果を発揮し送風性能を大きく向上させる。よって、主上下風向変更羽根１１ａの軸支点Ｚが吹出口８の吹出口域内に位置している場合に比べファン６の性能を従来通りとしたまま大風量化することができ、迅速かつ効果的な空調を実現することができる。
【００６０】
そして、本実施の形態では、上記主上下風向変更羽根１１ａを送風路７のリアガイダ延長線上に位置させたとき、制御部２１は主上下風向変更羽根１１ａの上下面の空気の温度を露点温度以上とする。したがって、結露発生を防止できる。その動作を更に図１１の制御フロー図を用いて説明する。
【００６１】
ユーザが運転を開始した時、大風量運転モードが選択されていると（Ｓ１−Ｙ）、大風量運転モードを実行する（Ｓ２）。すなわち前記した主上下風向変更羽根１１ａをリアガイダ９の延長線上に位置させる。
【００６２】
次に吸込み風温度センサ２３が室内温度Ｔｉを検知し（Ｓ３）、更に湿度センサ２５が室内湿度Ｈを検知し（Ｓ４）、上記室内温度Ｔｉと室内湿度Ｈから露点温度Ｔｈを算出する（Ｓ５）。更に吹出し風温度センサ２４が吹出温度Ｔｏを検知（Ｓ６）し、上記吹出温度Ｔｏと前記露点温度Ｔｈを比較して吹出温度Ｔｏが露点温度Ｔｈ以上であれば（Ｓ７−Ｙ）上記動作を繰り返して大風量運転モードを継続し、吹出温度Ｔｏが露点温度Ｔｈ以下になれば（Ｓ７−Ｎ）通常風向制御モードに移行していく（Ｓ８）。
【００６３】
このように、吹出温度Ｔｏが露点温度Ｔｈ以上、換言すると、主上下風向変更羽根１１ａの上下面の空気の温度が露点温度以上であれば大風量運転を行い、大風量運転時の結露の発生を防止している。そして、結露が防止できるので、主上下風向変更羽根１１ａは中空状に形成する必要がなく、一枚物で、且つ、軽量なものにすることができる。よって、羽根駆動モータ１５の能力アップあるいはギアボックスの付設によるトルクアップを必要とせずコストダウンを図ることができる。
【００６４】
また、図１２はユーザが自動運転モードを選択している場合の制御フロー図を示すが、この自動運転モード時も室内温度と設定温度との差が大きい運転開始時は大風量運転を行い（Ｓ２）、迅速かつ効果的な空調を実現できる。
【００６５】
すなわち、運転が開始されその運転が自動運転モードであれば（Ｓ１１−Ｙ）、吸込み風温度センサ２３で検知した室内温度Ｔｉと設定温度Ｔｓとを比較し（Ｓ１２）、その差が所定値以上であると（Ｓ１２−Ｙ）、大風量運転モードを実行する。そして、吹出温度Ｔｏが露点温度Ｔｈ以下になると（Ｓ７−Ｎ）、吹出温度が露点温度以上になるようにファンモータ２２の回転数を変更制御（Ｓ１３）してステップ（Ｓ１２）に戻り、これを繰り返して大風量運転を継続する（Ｓ２）。そして、吸込み風温度センサ２３で検知した室内温度Ｔｉと設定温度Ｔｓとの差が所定値以下になれば（Ｓ１２−Ｎ）、通常風向制御モードに移行していく（Ｓ８）。
【００６６】
これにより、前記した如く結露を防止しつつ大風量によって迅速かつ効果的に室内環境を設定温度Ｔｓに近づけ、快適な空調を実現することができる。
【００６７】
また、本実施の形態では、上記主上下風向変更羽根１１ａを駆動するリンク機構１４は、駆動アーム１７の回転中心をＸ、前記駆動アーム１７と上下風向変更羽根アーム１８との軸支点をＹ、前記上下風向変更羽根アーム１８の長手方向途中とリンクアーム１９との軸支点をＺとして、前記ＸとＹとの間の距離をＡ、前記ＹとＺとの間の距離をＢとすると、Ｂ＝Ａ×（１．２〜１．５）となる構成としてある。
【００６８】
これにより、上下風向変更羽根アーム１８の長手方向途中とリンクアーム１９との軸支点Ｚの移動を円滑なものとすることができ、こじり発生を防止して動作品質を向上させることができる。
【００６９】
加えて、上記のように構成したことにより、主上下風向変更羽根１１ａの下向き回動範囲も大きくすることができ、例えば暖房時等に図１７に示すように主上下風向変更羽根１１ａを大きく下向きに回動させた状態で暖房することができる。つまり、主上下風向変更羽根１１ａによる風向変更巾を広くして空調範囲を拡大することができ、高品質、高性能な空気調和機とすることができる。
【００７０】
以上のように、本実施の形態では、大風量運転時にも結露を防止できるが、この大風量運転モードは冷房運転だけに限らず暖房運転時にも行うようになっている。そして、その動作は冷房時と同じであるので説明は省略する。
【００７１】
（実施の形態２）
次に実施の形態２における空気調和機を説明する。
【００７２】
図１８は実施の形態２における空気調和機の室内機の吹出口に設けた上下風向変更羽根の軸支構成部分を示す斜視図、図１９は同上下風向変更羽根の軸支構成部分の分解斜視図である。
【００７３】
本実施の形態２の空気調和機は、前記実施の形態１で示す室内機に実施の形態１で示す主上下風向変更羽根１１ａとは異なるモータ直結型主上下風向変更羽根（以下、駆動手段直結型主上下風向変更羽根と称す）１１１ａを装着して構成したものである。即ち、羽根駆動モータ１５の回転軸１５ａには駆動アーム１７を介することなく駆動手段直結型主上下風向変更羽根１１１ａの上下風向変更羽根アーム１１８を軸支して前記駆動手段直結型主上下風向変更羽根１１１ａを装着してある。
【００７４】
これにより、実施の形態１の主上下風向変更羽根１１ａを駆動手段直結型主上下風向変更羽根１１１ａに切り替えるだけで大風量運転機能を持たない普及型の空気調和機を提供することができ、リアガイダ９の延長線上に主上下風向変更羽根１１ａを位置させて大風量運転が可能な空気調和機と、大風量運転機能を持たない普及型の空気調和機というタイプの異なる二種類の空気調和機を合理的かつ安価に提供することができる。
【００７５】
以上、本発明に係る空気調和機について、上記実施の形態を用いて説明したが、本発明は、これに限定されるものではなく、本発明の範囲は特許請求の範囲によって示され、特許請求の範囲と均等の意味及び範囲内でのすべての変更が含まれるものである。
【００７６】
例えば、本実施の形態では室内機と室外機が分離されている空気調和機で説明したが、これらは一体のものであってもよい。
【００７７】
また、上下風向変更羽根１１は主上下風向変更羽根１１ａ、１１１ａとともに補助上下風向変更羽根１１ｂを備えたものを例示したが、これは主上下風向変更羽根１１ａ、１１１ａのみであってもよいものであり、本発明でいう上下風向変更羽根はこの主上下風向変更羽根１１ａ、１１１ａを示すものである。
【産業上の利用可能性】
【００７８】
以上のように、本発明にかかる空気調和機は、上下風向変更羽根の結露を防止すると同時に風量低下を抑制して送風性能を向上させ大風量による空調を可能とすることができ、高品質、高性能な空気調和機とすることができる。よって、一般家庭で使用される空気調和機をはじめ様々な空気調和機に広く適用できる。
【符号の説明】
【００７９】
１  室内機
２  本体
２ａ  前面開口部
２ｂ  上面開口部
３  前面パネル
４  フィルタ
５  熱交換器
６  ファン
７  送風路
８  吹出口
９  リアガイダ
１０  スタビライザ
１１  上下風向変更羽根
１１ａ  主上下風向変更羽根
１１ｂ  補助上下風向変更羽根
１２  左右風向変更羽根
１４  リンク機構
１５  羽根駆動モータ（駆動手段）
１５ａ  回転軸
１６  吹出口枠
１６ａ  軸孔
１７  駆動アーム
１７ａ  アームピン軸用孔
１７ｂ  アームピン軸用孔
１８  上下風向変更羽根アーム
１８ａ  第１ピン軸
１８ｂ  第２ピン軸
１９  リンクアーム
１９ａ  リンクピン軸用孔
１９ｂ  リンクピン軸
２０  軸受部
２１  制御部
２２  ファンモータ
２３  吸込み風温度センサ
２４  吹出し風温度センサ
２４ａ  傾斜面
２５  湿度センサ
１１１ａ  モータ直結型主上下風向変更羽根（駆動手段直結型主上下風向変更羽根）
１１８  上下風向変更羽根アーム
【図１】
0006913859.tif 000002
【図２】
0006913859.tif 000003
【図３】
0006913859.tif 000004
【図４】
0006913859.tif 000005
【図５】
0006913859.tif 000006
【図６】
0006913859.tif 000007
【図７】
0006913859.tif 000008
【図８】
0006913859.tif 000009
【図９】
0006913859.tif 000010
【図１０】
0006913859.tif 000011
【図１１】
0006913859.tif 000012
【図１２】
0006913859.tif 000013
【図１３】
0006913859.tif 000014
【図１４】
0006913859.tif 000015
【図１５】
0006913859.tif 000016
【図１６】
0006913859.tif 000017
【図１７】
0006913859.tif 000018
【図１８】
0006913859.tif 000019
【図１９】
0006913859.tif 000020
【図２０】
0006913859.tif 000021
【図２１】
0006913859.tif 000022